【手続補正書】
【提出日】平成20年7月22日(2008.7.22)
【手続補正１】
【補正対象書類名】明細書
【補正対象項目名】発明の名称
【補正方法】変更
【補正の内容】
【発明の名称】送受信装置、受信装置、送信方法及び受信方法
【手続補正２】
【補正対象書類名】明細書
【補正対象項目名】特許請求の範囲
【補正方法】変更
【補正の内容】
【特許請求の範囲】
【請求項１】  入力された通信相手を探索する時間を決める入力パラメータに基づいて通信相手を制御する制御情報を含んだパケットを生成する制御パケット生成ステップと、
上記制御パケット生成ステップにより生成された上記制御情報を含んだパケットを送信する送信ステップと、
上記送信ステップにより送信された上記制御情報を含んだパケットの上記制御情報を通信相手が受信したことを通知する受信通知を受信したときに、上記入力パラメータ記憶部により記憶された入力パラメータを、通信相手を探索する時間を決める探索パラメータとして記憶部に記憶する記憶ステップと、
を備える送信方法。
【請求項２】  上記送信ステップにより送信された上記制御情報を含んだパケットの上記制御情報を通信相手が受信したことを通知する受信通知を受信できなかったときに、前回、通信相手を探索する時間を決めるパラメータとして上記記憶部に記憶された探索パラメータを有効にする変更ステップと、
を備える請求項１に記載の送信方法。
【請求項３】  上記送信ステップにより送信された上記制御情報を含んだパケットの上記制御情報を通信相手が受信したことを通知する受信通知を受信できなかったときに、警告を発するアラーム部がアラームを発する警告ステップと、
を備える請求項２に記載の送信方法。
【請求項４】  上記送信ステップに基づいた受信通知を受信できなかったときに、上記入力パラメータを、上記探索パラメータと異なるパラメータとして上記記憶部に記憶する記憶ステップと、
を備える請求項２に記載の送信方法。
【請求項５】  パケットを受信する受信ステップと、
上記受信ステップで受信したパケットが、通信相手を探索する時間を決めるパラメータに基づいて通信相手を制御する制御情報を含んだパケットであることを検出する制御パケット検出ステップと、
上記制御情報を含んだパケットを検出したときに、上記検出ステップで検出された上記制御情報を含んだパケットに通信相手を探索する時間を決める探索パラメータが含まれることを検出する制御情報検出ステップと、
上記制御情報検出ステップで上記探索パラメータを検出したときに、上記制御情報検出ステップで検出された上記探索パラメータを受信した旨を送信する受信通知送信ステップと、
上記制御情報検出ステップで上記探索パラメータを検出したときに、上記通信相手を探索する時間を決めるパラメータを記憶する記憶ステップと、
を備える受信方法。
【請求項６】  通信相手を探索する時間を決める入力パラメータを入力する入力部と、
上記通信相手を探索する時間を決める入力パラメータに基づいて通信相手を制御する制御情報を含んだパケットを生成する制御パケット生成部と、
上記制御パケット生成部により生成された上記制御情報を含んだパケットを送信する送信部と、
上記送信部により送信された上記制御情報を含んだパケットの制御する情報を通信相手が受信したことを通知する受信通知を受信する受信部と、
上記入力パラメータ記憶部により記憶された入力パラメータを、通信相手を探索する時間を決める探索パラメータとして上記記憶部に記憶する記憶部と、
を備える送受信装置。
【請求項７】  パケットを受信する受信部と、
上記受信部で受信したパケットが、通信相手を探索する時間を決めるパラメータに基づいて通信相手を制御する制御情報を含んだパケットであることを検出する制御パケット検出部と、
上記制御情報を含んだパケットを検出したときに、上記検出部で検出された上記制御情報を含んだパケットに通信相手を探索する時間を決める探索パラメータが含まれることを検出する制御情報検出部と、
上記制御情報検出部で上記探索パラメータを検出したときに、上記制御情報検出部で検出された上記探索パラメータを受信した旨を送信する受信通知送信部と、
上記制御情報検出部で上記探索パラメータを検出したときに、上記通信相手を探索する時間を決めるパラメータを記憶する記憶部と、
を備える受信装置。
【手続補正３】
【補正対象書類名】明細書
【補正対象項目名】０００１
【補正方法】変更
【補正の内容】
【０００１】
【発明の属する技術分野】
本発明は、例えば、送信された情報を受信すると共に、受信した信号を出力する送受信装置、受信装置、送信方法および受信方法に関するものである。
【手続補正４】
【補正対象書類名】明細書
【補正対象項目名】０００５
【補正方法】変更
【補正の内容】
【０００５】
そこで、本発明は、かかる点に鑑みてなされたものであり、電波悪化状況の程度、通信の方法、受信するデータの種類、用途、そのときの緊急度等に応じて自動切断判定時間を任意に変更設定できるようにすることを課題とする。
【手続補正５】
【補正対象書類名】明細書
【補正対象項目名】０００６
【補正方法】変更
【補正の内容】
【０００６】
【課題を解決するための手段】
本発明の送信方法は、入力された通信相手を探索する時間を決める入力パラメータに基づいて通信相手を制御する制御情報を含んだパケットを生成する制御パケット生成ステップと、
上記制御パケット生成ステップにより生成された上記制御情報を含んだパケットを送信する送信ステップと、
上記送信ステップにより送信された上記制御情報を含んだパケットの上記制御情報を通信相手が受信したことを通知する受信通知を受信したときに、上記入力パラメータ記憶部により記憶された入力パラメータを、通信相手を探索する時間を決める探索パラメータとして記憶部に記憶する記憶ステップと、
を備える。
【手続補正６】
【補正対象書類名】明細書
【補正対象項目名】０００７
【補正方法】変更
【補正の内容】
【０００７】
また、本発明の受信方法は、
パケットを受信する受信ステップと、
上記受信ステップで受信したパケットが、通信相手を探索する時間を決めるパラメータに基づいて通信相手を制御する制御情報を含んだパケットであることを検出する制御パケット検出ステップと、
上記制御情報を含んだパケットを検出したときに、上記検出ステップで検出された上記制御情報を含んだパケットに通信相手を探索する時間を決める探索パラメータが含まれることを検出する制御情報検出ステップと、
上記制御情報検出ステップで上記探索パラメータを検出したときに、上記制御情報検出ステップで検出された上記探索パラメータを受信した旨を送信する受信通知送信ステップと、
上記制御情報検出ステップで上記探索パラメータを検出したときに、上記通信相手を探索する時間を決めるパラメータを記憶する記憶ステップと、
を備える。
【手続補正７】
【補正対象書類名】明細書
【補正対象項目名】０００８
【補正方法】変更
【補正の内容】
【０００８】
また、本発明の送受信装置は、
通信相手を探索する時間を決める入力パラメータを入力する入力部と、
上記通信相手を探索する時間を決める入力パラメータに基づいて通信相手を制御する制御情報を含んだパケットを生成する制御パケット生成部と、
上記制御パケット生成部により生成された上記制御情報を含んだパケットを送信する送信部と、
上記送信部により送信された上記制御情報を含んだパケットの制御する情報を通信相手が受信したことを通知する受信通知を受信する受信部と、
上記入力パラメータ記憶部により記憶された入力パラメータを、通信相手を探索する時間を決める探索パラメータとして上記記憶部に記憶する記憶部と、
を備える。
【手続補正８】
【補正対象書類名】明細書
【補正対象項目名】０００９
【補正方法】変更
【補正の内容】
【０００９】
また、本発明の受信装置は、
パケットを受信する受信部と、
上記受信部で受信したパケットが、通信相手を探索する時間を決めるパラメータに基づいて通信相手を制御する制御情報を含んだパケットであることを検出する制御パケット検出部と、
上記制御情報を含んだパケットを検出したときに、上記検出部で検出された上記制御情報を含んだパケットに通信相手を探索する時間を決める探索パラメータが含まれることを検出する制御情報検出部と、
上記制御情報検出部で上記探索パラメータを検出したときに、上記制御情報検出部で検出された上記探索パラメータを受信した旨を送信する受信通知送信部と、
上記制御情報検出部で上記探索パラメータを検出したときに、上記通信相手を探索する時間を決めるパラメータを記憶する記憶部と、
を備える。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００４７
【補正方法】変更
【補正の内容】
【００４７】
【発明の効果】
この発明によると、電波悪化状況の程度、通信の方法、受信するデータの種類、用途、そのときの緊急度等に応じてパラメータとしての自動切断判定時間を任意に変更設定することができる効果を奏する。
【手続補正１３】
【補正対象書類名】明細書
【補正対象項目名】００４８
【補正方法】変更
【補正の内容】
【００４８】
また、この発明は、パラメータとしての自動切断判定時間に基づいて通信に先立って相手を探索する動作を中止することができるという効果を奏する。
【手続補正１４】
【補正対象書類名】明細書
【補正対象項目名】００４９
【補正方法】変更
【補正の内容】
【００４９】
また、この発明は、パラメータとしての自動切断判定時間に基づいて入力信号に圧縮処理を施す動作を中止することができるという効果を奏する。
【手続補正１５】
【補正対象書類名】明細書
【補正対象項目名】００５０
【補正方法】変更
【補正の内容】
【００５０】
また、この発明は、パラメータとしての自動切断判定時間に基づいて受信信号にミュート処理を施す動作をすることができるという効果を奏する。
【手続補正１６】
【補正対象書類名】明細書
【補正対象項目名】００５１
【補正方法】変更
【補正の内容】
【００５１】
また、この発明は、自動切断判定時間に基づいて各部に電源電圧を供給する動作を中止することができるという効果を奏する。
【手続補正１７】
【補正対象書類名】明細書
【補正対象項目名】００５２
【補正方法】変更
【補正の内容】
【００５２】
また、この発明は、動作部に対する動作の限界時間を任意に設定することができるという効果を奏する。
【手続補正１８】
【補正対象書類名】明細書
【補正対象項目名】００５３
【補正方法】変更
【補正の内容】
【００５３】
また、この発明は、設定動作の失敗を知らせることができるという効果を奏する。
【手続補正１９】
【補正対象書類名】明細書
【補正対象項目名】００５４
【補正方法】変更
【補正の内容】
【００５４】
また、この発明は、警告を発したときに、前回設定したパラメータを有効とするので、再設定するまでは前回のパラメータを使用することができるという効果を奏する。
【手続補正２０】
【補正対象書類名】明細書
【補正対象項目名】００５５
【補正方法】削除
【補正の内容】
【手続補正２１】
【補正対象書類名】明細書
【補正対象項目名】００５６
【補正方法】削除
【補正の内容】